(57)【要約】  冷媒流路を簡易に構成しながらロータの回転の抵抗とならずに回転軸の周辺とロータ及びステータを冷却することができる電動機を提供する。  中空の回転軸２と、回転軸２に取り付けられたロータ３と、ロータ３の外周に配置されるステータ４と、ロータ３及びステータ４を収容するケース５とを備え冷媒流路に冷媒を流して冷却可能な電動機１であって、冷媒流路は、回転軸２に形成された中空の内側流路２ａと、ステータ４の外周とケース５の内周との間に形成された外側流路Ｓ２と、ロータ３が収容されるケース５内の収容空間Ｒとは隔離して内側流路２ａ及び外側流路Ｓ２を連通する連通流路Ｓ１と、により構成した。
2019117229.tif 000002
【特許請求の範囲】
【請求項１】
中空の回転軸と、前記回転軸に取り付けられたロータと、前記ロータの外周に配置されるステータと、前記ロータ及び前記ステータを収容するケースとを備え冷媒流路に冷媒を流して冷却可能な電動機であって、
前記冷媒流路は、
前記回転軸に形成された中空の内側流路と、
前記ステータの外周と前記ケースの内周との間に形成された外側流路と、
前記ロータが収容される前記ケース内の収容空間とは隔離して前記内側流路及び前記外側流路を連通する連通流路と、
により構成されていることを特徴とする電動機。
【請求項２】
前記回転軸は前記ロータの一端側の支持壁部を貫通し該一端側の支持壁に軸支されている請求項１に記載の電動機。
【請求項３】
前記連通流路は、前記一端側の支持壁部と、該一端側の支持壁部に取り付けられる一端側のキャップとにより形成されている請求項２に記載の電動機。
【請求項４】
前記ステータと前記一端側の支持壁部との間にはシール部材が配置されている請求項３に記載の電動機。
【請求項５】
前記一端側の支持壁部には、前記連通流路の一部をなす軸方向に貫通する複数の貫通孔が周方向に沿って形成されている請求項３または４に記載の電動機。
【請求項６】
前記回転軸は前記ロータの他端側の支持壁部を貫通し該他端側の支持壁部に軸支されており、
前記ステータと他端側の支持壁部との間にはシール部材が配置されている請求項１ないし５のいずれかに記載の電動機。
【請求項７】
前記他端側の支持壁部と、該他端側の支持壁部に取り付けられる他端側のキャップとにより、前記外側流路に連通しかつ外部に開口する他端側の連通路が形成されている請求項６に記載の電動機。
【請求項８】
前記他端側の支持壁部には、軸方向に貫通し前記外側流路に連通する複数の貫通孔が形成されている請求項７に記載の電動機。
【請求項９】
前記内側流路は前記回転軸の軸方向両端に開口する請求項１ないし８のいずれかに記載の電動機。
【請求項１０】
前記冷媒は前記内側流路、前記連通流路、前記外側流路の順に流れる請求項１ないし９のいずれかに記載の電動機。
【請求項１１】
前記ステータの外周には内径側に凹む凹部が形成されている請求項１ないし１０のいずれかに記載の電動機。
【請求項１２】
前記ケースの内周には、前記ステータの凹部に遊嵌する凸部が形成されている請求項１１に記載の電動機。
【発明の詳細な説明】
【技術分野】
【０００１】
本発明は、冷媒流路に冷媒を流して冷却可能な電動機に関する。
【背景技術】
【０００２】
電動機は、回転軸と、回転軸に取り付けられたロータと、ロータの外周に配置されるステータと、ロータ及びステータを収容するケースとを備えている。ロータ及びステータの少なくともいずれか一方は、コイルを巻いて構成される電磁石となっており、通電により磁力を発生させてロータとともに回転軸が回転するようになっている。【０００３】
ところで、電動機の駆動時には、コイルへの通電により発生する熱や、回転軸と軸受との摺接部分において発生する熱等から、電動機が発熱する。そのため、発熱による電動機の効率低下や故障を防ぐために電動機を冷却する技術が複数存在する。【０００４】
例えば、特許文献１に示される電動機は、回転軸の内側が中空となっており、この中空空間には、回転軸の内径よりも小径のパイプが配置されている。パイプには、電動機の外部に設置された冷媒槽からポンプにより冷媒が送り込まれる。冷媒はパイプの内部を通り、パイプの先端から回転軸とパイプとの間で構成される流路に流れ込んだ後、流路を通って冷媒槽に返される。【０００５】
また、特許文献２に示される電動機は、回転軸の内側が中空となっており、この中空空間にパイプが挿通され、パイプには電動機の外部に設置された冷媒槽からポンプにより冷媒が送り込まれる。回転軸には、長手方向の両端側に中空空間とロータ及びステータを収容するケース内とに貫通する貫通孔が形成されている。ケースには冷媒槽と接続される排出路が設けられている。冷媒はパイプの中空空間に流れ込むとともに、貫通孔を通ってケース内に流れ込んだ後、排出路を通って冷媒槽に返される。【０００６】
特許文献３に示される電動機は、回転軸の内側が中空となっており、この中空空間には、回転軸の内径よりも小径のパイプが配置されている。パイプには、電動機の外部に設置された冷媒槽からポンプにより冷媒が送り込まれる。冷媒はパイプの内部を通り、パイプの先端から回転軸とパイプとの間で構成される流路に流れ込んだ後、流路を通って冷媒槽に返される。
また、ロータ及びステータを収容するケースには、外周を周方向に囲む冷却ジャケットが取付けられている。ケースの外周面と冷却ジャケットとの間には流路空間が形成されており、該空間には冷媒槽からポンプにより冷媒が送り込まれるようになっている。冷却ジャケットには冷媒槽と接続される排出路が設けられている。冷媒は流路空間に流れ込んだ後、排出路を通って冷媒槽に返される。
【先行技術文献】
【特許文献】
【０００７】
【特許文献１】米国特許第７４８９０５７号明細書
【特許文献２】米国特許出願公開第２０１６／０１６４３７８号明細書
【特許文献３】特表２０１２−５２４５１４号公報（第５頁、第３図）
【発明の概要】
【発明が解決しようとする課題】
【０００８】
特許文献１の電動機にあっては、回転軸とパイプとの間で構成される流路に冷媒を送り込むことで回転軸と軸受との摺接部分を冷却するとともに、回転軸を介してロータが冷却される。しかしながら、回転軸及びその周辺のみが冷却される構成であるため、ステータの冷却効果は期待できない。【０００９】
特許文献２の電動機にあっては、回転軸の中空空間に流れ込む流体により回転軸の周辺を冷却し、ケース内に流れ込む冷媒によりロータ及びステータを冷却している。しかしながら、ケース内に流れ込んだ冷媒は、ロータ及びステータに直に接する構成であるため、冷媒はロータによって攪拌され冷媒がロータの回転の抵抗となっていた。【００１０】
特許文献３の電動機にあっては、回転軸の内側が中空となっており、回転軸の中空空間に流れ込む流体により回転軸及びその周辺を冷却するとともに、ケースの外周面と冷却ジャケットとの間の流路空間に流れ込む流体によりステータを冷却している。しかしながら、回転軸の中空空間と冷媒槽とで循環されるロータ側の冷媒の流路と、ケースの外周面と冷却ジャケットとの間の流路空間と冷媒槽とで循環されるステータ側の冷媒の流路とは個別に設けられているため、冷媒流路が複雑になるという問題がある。【００１１】
本発明は、このような問題点に着目してなされたもので、冷媒流路を簡易に構成しながらロータの回転の抵抗とならずに回転軸の周辺とロータ及びステータを冷却することができる電動機を提供することを目的とする。
【課題を解決するための手段】
【００１２】
前記課題を解決するために、本発明の電動機は、
中空の回転軸（２）と、前記回転軸（２）に取り付けられたロータ（３）と、前記ロータ（３）の外周に配置されるステータ（４）と、前記ロータ（３）及び前記ステータ（４）を収容するケース（５）とを備え冷媒流路に冷媒を流して冷却可能な電動機（１）であって、
前記冷媒流路は、
前記回転軸（２）に形成された中空の内側流路（２ａ）と、
前記ステータ（４）の外周と前記ケース（５）の内周との間に形成された外側流路（Ｓ２）と、
前記ロータ（３）が収容される前記ケース（５）内の収容空間（Ｒ）とは隔離して前記内側流路（２ａ）及び前記外側流路（Ｓ２）を連通する連通流路（Ｓ１）と、
により構成されていることを特徴としている。
この特徴によれば、ロータと回転軸の周辺とは回転軸に形成された内側流路を通った冷媒により冷却されるとともに、ステータはステータの外周とケースの内周との間に形成された外側流路を流れる冷媒により冷却され、さらにこれらの流路をロータの収容空間とは隔離した連通流路によって連通させることで、冷媒流路を簡易に構成できるとともに冷媒がロータの回転に影響を与えることがない。【００１３】
好適には、前記回転軸（２）は前記ロータ（３）の一端側の支持壁部（５ｃ）を貫通し該一端側の支持壁（５ｃ）に軸支されている。
これによれば、回転軸を軸支する支持壁部によって収容空間を隔離できるため、連通流路を簡単な構成にできる。【００１４】
好適には、前記連通流路（Ｓ１）は、前記一端側の支持壁部（５ｃ）と、該一端側の支持壁部（５ｃ）に取り付けられる一端側のキャップ（１７）とにより形成されている。
これによれば、一端側のキャップを一端側の支持壁部に取り付けるだけで、連通流路を形成できる。【００１５】
好適には、前記ステータ（４）と前記一端側の支持壁部（５ｃ）との間にはシール部材（２８）が配置されている。
これによれば、冷媒、コンタミ等がロータとステータとの間の収容空間に侵入しにくくすることができる。【００１６】
好適には、前記一端側の支持壁部（５ｃ）には、前記連通流路（Ｓ１）の一部をなす軸方向に貫通する複数の貫通孔（３３）が周方向に沿って形成されている。
これによれば、収容空間の密閉構造を単純に構成できるとともに、連通流路を構成する部材を少なくできる。また貫通孔が周方向に沿って複数形成されているため、ステータの外周を広い範囲で冷却できる。【００１７】
好適には、前記回転軸（２）は前記ロータ（３）の他端側の支持壁部（５ｂ）を貫通し該他端側の支持壁部（５ｂ）に軸支されており、
前記ステータ（４）と他端側の支持壁部（５ｂ）との間にはシール部材（２７）が配置されている。
これによれば、回転軸を軸支する支持壁部によって収容空間を隔離しているため、収容空間を簡単な構成にできる。【００１８】
好適には、前記他端側の支持壁部（５ｂ）と、該他端側の支持壁部（５ｂ）に取り付けられる他端側のキャップ（１６）とにより、前記外側流路（Ｓ２）に連通しかつ外部に開口する他端側の連通路（Ｓ３）が形成されている。
これによれば、他端側において冷媒流路を簡単に構成できる。【００１９】
好適には、前記他端側の支持壁部（５ｂ）には、軸方向に貫通し前記外側流路（Ｓ２）に連通する複数の貫通孔（３２）が形成されている。
これによれば、収容空間の密閉構造を単純に構成できる。【００２０】
好適には、前記内側流路（２ａ）は前記回転軸（２）の軸方向両端に開口する。
これによれば、回転軸を単純な構造とできるとともに内側流路と連通流路との間の圧力損失を小さくすることができる。【００２１】
好適には、前記冷媒は前記内側流路（２ａ）、前記連通流路（Ｓ１）、前記外側流路（Ｓ２）の順に流れる。
これによれば、ロータを温度の低い冷媒によって冷却できるため全体の冷却効率に優れる。【００２２】
好適には、前記ステータ（４）の外周には内径側に凹む凹部（４４ａ）が形成されている。
これによれば、凹部によりステータの内径側まで冷媒が入り込むのでステータを迅速に冷却できる。【００２３】
好適には、前記ケース（４５）の内周には、前記ステータの凹部（４４ａ）に遊嵌する凸部（４５ｅ）が形成されている。
これによれば、凹部と凸部により流路断面が略一定となるため、ステータの内径側まで冷媒が流れ易い。
【図面の簡単な説明】
【００２４】
【図１】本発明の実施例１における電動機を示す断面図である。
【図２】同じくケースのＡ−Ａ線断面図である。
【図３】同じくケースのＢ−Ｂ線断面図である。
【図４】実施例１における電動機の冷媒の流れを示すステータを示す断面図である。
【図５】本発明の実施例２における電動機を示す断面図である。
【図６】本発明の実施例３における電動機を示す断面図である。
【発明を実施するための形態】
【００２５】
本発明に係る電動機を実施するための形態を実施例に基づいて以下に説明する。
【実施例１】
【００２６】
実施例１に係る電動機につき、図１から図４を参照して説明する。【００２７】
図１に示されるように、電動機１は、回転軸２と、回転軸２に固定され回転軸２と共に回転するロータ３と、ロータ３の外周に径方向に離間して配置される環状のステータ４と、ロータ３及びステータ４を収容するケース５とを備えている。ロータ３は、コイルを巻いて構成される電磁石であり、ステータ４は永久磁石である。図示しない電源からロータ３を構成するコイルに通電することにより磁力が発生し、ロータ３とロータ３に固定された回転軸２が回転するようになっている。ケース５は鉄等の金属で形成され、回転軸２はステンレス等の非磁性体で形成されている。【００２８】
ケース５は、回転軸２の軸方向に２分割されており、これら分割ケース体５Ａ，５Ｂは外周の溶接部３６で溶接固定され密閉状態とされている。【００２９】
ケース５は、略円筒状に形成されケース５の外周面及び内周面を構成する周壁部５ａと、略円板状に形成されケース５の両側壁を構成する支持壁部５ｂ，５ｃとから構成されている。分割ケース体５Ａ側の支持壁部５ｂの径方向の中心には軸方向に貫通する貫通孔８が形成されている。また、分割ケース体５Ａ側の支持壁部５ｂには、対向する分割ケース体５Ｂの支持壁部５ｃ側に開口する段部９が貫通孔８に連続して形成されている。段部９にはベアリング１０が取付けられ、ベアリング１０を介して回転軸２が軸支されている。段部９におけるベアリング１０の奥には環状のシール部材であるシールリング１１が配置されており、回転軸２と分割ケース体５Ａとの間を密閉している。【００３０】
分割ケース体５Ｂ側の支持壁部５ｃの径方向の中心には軸方向に貫通する貫通孔１２が形成されている。また、分割ケース体５Ｂ側の支持壁部５ｃには、対向する分割ケース体５Ａの支持壁部５ｂ側に開口する段部１３が貫通孔１２に連続して形成されている。段部１３にはベアリング１４が取付けられ、ベアリング１４を介して回転軸２が軸支されている。段部１３におけるベアリング１４の奥には環状のシール部材であるシールリング１５が配置されており、回転軸２と分割ケース体５Ｂとの間を密閉している。【００３１】
ケース５の軸方向の両端部には、それぞれ略カップ形状キャップ１６，略円板状のキャップ１７が外周の溶接部３６で溶接固定され密閉状態とされている。キャップ１６,１７は、鉄等の金属で形成されている。分割ケース体５Ａ側のキャップ１６には、径方向の中心に軸方向に貫通する貫通孔１８が形成されており、貫通孔１８に回転軸２が挿通されている。貫通孔１８の内周面には内径方向に開口する環状の溝部１９が形成されている。溝部１９には環状のシール部材であるシールリング２０が嵌合されており、回転軸２とキャップ１６との間を密閉している。【００３２】
ステータ４は分割ケース体５Ａ側の支持壁部５ｂと分割ケース体５Ｂ側の支持壁部５ｃとの間に配置されている。ステータ４の内径側かつ支持壁部５ｂ及び支持壁部５ｃとの対向面には、環状の凹部２１，２２が形成されており、これらの凹部２１，２２には支持壁部５ｂ及び支持壁部５ｃに形成された軸方向に突出する環状の凸部２３，２４がそれぞれ係合している。これによりステータ４は軸方向と径方向の移動が規制されている。【００３３】
分割ケース体５Ａ側の支持壁部５ｂと分割ケース体６Ｂ側の支持壁部５ｃとには、外径側に環状の段部２５，２６がそれぞれ形成されている。段部２５，２６内には環状のシール部材であるシールリング２７，２８がそれぞれ配置され、分割体６とステータ４と分割体７とが密閉状態で接続され、これら分割ケース体５Ａとステータ４と分割ケース体５Ｂとによりロータ３及び回転軸２の一部を囲む収容空間Ｒが密閉状態に区画されている。【００３４】
回転軸２は、軸方向に貫通し両端に開口する中空部２ａ（内側流路）を備えている。電動機１の外部には冷媒槽３０が設置されており、冷媒槽３０内の冷媒はポンプＰにより吸入路３１を通して中空部２ａに送り込まれる。【００３５】
ケース５の周壁部５ａの内周面には、外径方向に凹む凹部５ｄが形成されている。凹部５ｄの内径はステータ４の外径に比べて大きく形成されており、凹部５ｄとステータ４との間に外側流路を構成する空間Ｓ２が形成されている。【００３６】
ケース５の軸方向におけるキャップ１７側の端部には、軸方向に凹む凹部５ｅが形成されている。キャップ１７とケース５の支持壁部５ｃに形成された凹部５ｅとの間に連通流路を構成する空間Ｓ１が形成されている。【００３７】
キャップ１６は、ケース５の軸方向における端部との対向面に軸方向に凹む凹部１６ａが形成されている。キャップ１６の凹部１６ａとケース５の端部との間に排出流路を構成する空間Ｓ３が形成されている。キャップ１６には、排出路３４と連通する貫通孔１６ｂが形成されており、空間Ｓ３内の冷媒が排出路３４を介して冷媒槽３０に返される。【００３８】
回転軸２の中空部２ａは、キャップ１７とケース５の凹部５ｅとの間に形成された空間Ｓ１と連通している。【００３９】
図２に示されるように、ケース５の支持壁部５ｂには、軸方向に貫通する複数の貫通孔３２が周方向に沿って形成されている。図３に示されるように、同様にケース５の支持壁部５ｃには、軸方向に貫通する複数の貫通孔３３が周方向に沿って形成されている。【００４０】
ケース５の支持壁部５ｂに形成された貫通孔３２により、キャップ１６の凹部１６ａとケース５の端部との間に形成された空間Ｓ３と、ケース５の凹部５ｄとステータ４との間に形成された空間Ｓ２とが連通されている。【００４１】
同様に、ケース５の支持壁部５ｃに形成された貫通孔３３により、空間Ｓ１と空間Ｓ２とが連通されている。【００４２】
上記したように、電動機１における冷媒流路は、回転軸２の中空部２ａ、キャップ１７とケース５の凹部５ｅとの間に形成された空間Ｓ１、貫通孔３３、キャップ１７とケース５の凹部５ｅとの間に形成された空間Ｓ２、貫通孔３２、キャップ１６の凹部１６ａとケース５の端部との間に形成された空間Ｓ３、排出路３４から構成されている。【００４３】
続いて、図１及び図４を用いて冷媒槽３０から電動機１に送り込まれた冷媒の経路について説明する。まず、冷媒槽３０内の冷媒はポンプＰにより吸入路３１を通して回転軸２の中空部２ａに送り込まれる。中空部２ａを通過する冷媒により回転軸２が冷却され、回転軸２の軸受として機能し、摺接する部分である貫通孔１８，８，１２と、シールリング２０，１１，１５と、ベアリング１０，１４はそれぞれ冷却される。言い換えると、回転軸２の回転により生じる摩擦による発熱の可能性のある部分を効果的に冷却することができる。【００４４】
また、回転軸２を介してロータ３も冷却される。これによれば、ロータ３を構成するコイルへの通電によるロータ３の熱上昇を低減し、電動機の効率低下やロータ３の破損を防止できる。【００４５】
中空部２ａに送り込まれた冷媒は、中空部２ａ内を軸方向に移動してキャップ１７とケース５の凹部５ｅとの間に形成された空間Ｓ１に移動する。次に冷媒は空間Ｓ１から貫通孔３３を通して、ケース５の凹部５ｄとステータ４との間に形成された空間Ｓ２に移動する。【００４６】
空間Ｓ２に送り込まれた冷媒は、空間Ｓ２内を軸方向および周方向に移動し、ステータ４を外周面側から直接冷却する。これによれば、発熱されたロータ３の熱により熱せられるステータ４を冷却することができる。また、仮にステータ４がコイルにより構成される電磁石である場合には、ステータ４自体によって発生する熱上昇を低減することができる。【００４７】
次に空間Ｓ２内の冷媒は、空間Ｓ２から貫通孔３２を通して、キャップ１６の凹部１６ａとケース５の端部との間に形成された空間Ｓ３に移動する。空間Ｓ３に送り込まれた冷媒は、キャップ１６に形成された貫通孔１６ｂと排出路３４とを通り冷媒槽３０に返される。つまり、貫通孔３２と空間Ｓ３と貫通孔１６ｂとが排出流路を構成している。空間Ｓ３では、回転軸２が外周側から冷媒により直接冷却される。【００４８】
このように、ロータ３と回転軸２の周辺とは回転軸２に形成された中空部２ａ（内側流路）を通った冷媒により冷却されるとともに、ステータ４はステータ４の外周とケース５の内周との間に形成された空間Ｓ２（外側流路）を流れる冷媒により冷却される。さらにこれらの中空部２ａと空間Ｓ２とはロータ３の収容空間Ｒとは隔離されたキャップ１７とケース５の凹部５ｅとの間に形成された空間Ｓ１（連通流路）によって連通される。そのため、冷媒流路を簡易に構成できるとともに冷媒がロータ３の回転に影響を与えることがない。【００４９】
また、回転軸２を軸支するケース５の支持壁部５ｂと支持壁部５ｃとによって連通流路を構成する空間Ｓ１と、排出流路を構成する空間Ｓ３とを収容空間Ｒから隔離した状態で簡単に構成することができる。【００５０】
また、ステータ４と支持壁部５ｂ及び５ｃとの間にはシールリング２７，２８が配置されているため、冷媒やコンタミ等がロータ３を収容する収容空間Ｒに侵入しにくくすることができ、ロータ３の回転への影響を確実に防止することができる。【００５１】
また、支持壁部５ｃに形成された複数の貫通孔３３が空間Ｓ２と空間Ｓ１との連通流路の一部をなしている。そのため、連通流路を構成する部材を少なくできる。また貫通孔３３が周方向に沿って複数形成されているため、空間Ｓ２の周方向に冷媒を分散して送り込むことができ、ステータ４の外周を均等に冷却できる。【００５２】
また、支持壁部５ｂには、複数の貫通孔３２が周方向に沿って形成されており、空間Ｓ２の周方向に冷媒が分散されて空間Ｓ３内に送り込まれる。そのため、流体が空間Ｓ２内で滞留することなくＳ３に移動し、効率的に冷却することができる。【００５３】
また、回転軸２の中空部２ａは、回転軸２の軸方向両端に開口しているため、回転軸２の内壁に流体の流れが当たることが無く、そのため、軸方向荷重を受け難く、軸受が損傷し難い。【００５４】
また、冷媒槽３０から電動機１に送り込まれた冷媒は、内側流路を構成する回転軸２の中空部２ａ、連通流路を構成する空間Ｓ１、外側流路を構成する空間Ｓ２の順に流れる。これによれば、発熱量の大きいロータ３及び回転軸２との摺接部分を温度の低い冷媒によって冷却できるため全体の冷却効率に優れる。
【実施例２】
【００５５】
次に、実施例２に係る電動機につき、図５を参照して説明する。尚、前記実施例と同一構成で重複する構成の説明を省略する。【００５６】
ステータ４４の外周には、内径側に凹む凹部４４ａが軸方向に複数形成されており、ケース４５の内周には、凹部４４ａに遊嵌するように内径側に突出する凸部４５ｅが軸方向に複数形成されている。これによれば、空間Ｓ２内に送り込まれた冷媒が、ステータ４４に形成された凹部４４ａによりステータ４４の内径側まで入り込むのでステータ４４を迅速に冷却できる。また、ケース４５に形成された凸部４５ｅにより空間Ｓ２内に送り込まれた冷媒を凹部４４ａ内に確実に誘導することができる。さらに、凹部と凸部により流路断面が略一定となるため、ステータ４４の内径側まで冷媒が流れ易い。
【実施例３】
【００５７】
次に、実施例３に係る電動機につき、図６を参照して説明する。尚、前記実施例と同一構成で重複する構成の説明を省略する。【００５８】
ステータ５４の外周には、内径側に延び、ステータ５４の内径側にて外径側に折り返す誘導路５４ａが軸方向に複数形成されている。これによれば、空間Ｓ２内に送り込まれた冷媒が、ステータ５４に形成された誘導路５４ａによりステータ５４の内径側まで入り込むのでステータ５４を迅速に冷却できる。【００５９】
以上、本発明の実施例を図面により説明してきたが、具体的な構成はこれら実施例に限られるものではなく、本発明の要旨を逸脱しない範囲における変更や追加があっても本発明に含まれる。【００６０】
例えば、前記実施例において連通流路は、キャップ１７とケース５の支持壁部５ｃの間に形成された凹部５ｅとの間に形成される空間Ｓ１と貫通孔３２により構成される例で説明したが、これに限らず、例えばキャップ１７を凹部を設けた略カップ形状とし、ケース５の支持壁部５ｃの凹部を省略してもよい。また、例えばキャップ１７を省略して、連通流路は回転軸２の中空部２ａとケース５の凹部５ｄとステータ４との間に形成された空間Ｓ２とを、収容空間Ｒから隔離した状態で連通するパイプなどで構成してもよい。【００６１】
また、前記実施例において排出流路は、キャップ１６とケース５の支持壁部５ｂの間に形成される空間Ｓ３と貫通孔３２と貫通孔１６ｂにより構成される例で説明したが、これに限らず、例えばキャップ１６を省略して排出流路はケース５の凹部５ｄとステータ４との間に形成された空間Ｓ２と排出路３４とを、収容空間Ｒから隔離した状態で連通するパイプなどで構成してもよい。【００６２】
また、排出流路を構成する空間Ｓ３は、冷媒が回転軸２に直接触れる構成に限らず、例えば回転軸２よりも外径側に環状の仕切を形成し、空間Ｓ３内の冷媒が回転軸２に直接触れない構造として、回転軸２の回転駆動に影響を与えにくい構成としてもよい。【００６３】
また、ケース５は分割構造に限らず、また分割構造についても上下方向に分割されて構成されていてもよい。【００６４】
また、ケース５の内周に凹部５ｄを設けることで、電動機１を大型化せずにケース５の内周とステータ４との間に空間Ｓ２を構成しているが、これに限らず、例えばケース５の内周に凹部を設けずにケース５の内径とステータ４の外径との差により空間Ｓ２を構成してもよい。【００６５】
また、前記実施例において空間Ｓ１は、キャップ１７とケース５の支持壁部５ｃの間に形成された凹部５ｅとの間に所定の深さを有する略円形に形成されているが、これに限らず、例えば回転軸２の中空部２ａと連通する放射状に延びる複数の直線状溝を凹部５ｅに形成し、これら直線状溝とキャップ１７との間に形成されてもよい。【００６６】
また、前記実施例においては、ロータの回転の抵抗とならずに回転軸の周辺とロータ及びステータを冷却する発明の実施形態として電動機を用いて説明したが、電動機に限らず、例えば発電機に上記した冷媒流路を適用しても同様の作用効果を得ることができる。【００６７】
また、ケース５とキャップ１６，１７とは、金属以外の素材で形成されていてもよい。
【符号の説明】
【００６８】
１                電動機
２                回転軸
２ａ              中空部（内側流路）
３                ロータ
４                ステータ
５                ケース
５ａ              周壁部
５ｂ              支持壁部
５ｃ              支持壁部
６                分割体
７                分割体
８                貫通孔
１１              シールリング（シール部材）
１６              キャップ
１６ｂ            貫通孔（排出流路）
１７              キャップ
３０              冷媒槽
３１              吸入路
３２              貫通孔（排出流路）
３３              貫通孔（連通流路）
３４              排出路
４４              ステータ
４４ａ            凹部
４５              ケース
４５ｅ            凸部
５４              ステータ
５４ａ            誘導路
Ｐ                ポンプ
Ｒ                収容空間
Ｓ１              空間（連通流路）
Ｓ２              空間（外側流路）
Ｓ３              空間（排出流路）
【図１】
2019117229.tif 000003
【図２】
2019117229.tif 000004
【図３】
2019117229.tif 000005
【図４】
2019117229.tif 000006
【図５】
2019117229.tif 000007
【図６】
2019117229.tif 000008
【国際調査報告】
2019117229.tif 000009
2019117229.tif 000010
2019117229.tif 000011
2019117229.tif 000012